(57)【要約】      （修正有）【課題】所定の物体に結合することで、熱エネルギーを所定の物体に均一に伝えて、物体の表面を一定の温度に維持して、空間の温度を上げることができる暖房モジュールを提供する。【解決手段】所定の物体に結合されるとともに、断熱層１と、少なくとも一つの発熱層２と、導熱層３と、少なくとも二つの固定部材４と、防水電源コードケース５と、温度制御器６とからなる。前記発熱層２は、前記断熱層１の上方表面に設けられ、前記発熱層には発熱コード端子２１が設けられ、前記導熱層３は、前記発熱層２が前記導熱層３と断熱層１の間に位置するように、前記発熱層２の上方に設けられる。【選択図】図１
0003178817.tif 000002
【実用新案登録請求の範囲】
【請求項１】
所定の物体に結合される暖房モジュールであって、
前記暖房モジュールは、断熱層と、少なくとも一つの発熱層と、導熱層とからなり、
前記発熱層は、前記断熱層の上方表面に設けられ、前記発熱層には発熱コード端子が設けられ、
前記導熱層は、前記発熱層が前記導熱層と断熱層の間に位置するように、前記発熱層の上方に設けられることを特徴とする、暖房モジュール。
【請求項２】
前記暖房モジュールは、少なくとも二つの固定部材を備え、
前記固定部材は、前記発熱層と前記導熱層の間に設けられ、前記固定部材によって発熱層は前記断熱層上方表面に固定されることを特徴とする、請求項１に記載の暖房モジュール。
【請求項３】
前記導熱層の底部には、放熱ペーストが塗布され、前記放熱ペーストは、前記発熱層と結合され、前記断熱層の外部はアルミ箔で被覆され、前記断熱層及び発熱層及び導熱層はいずれも、可塑性の特性を備えていることを特徴とする、請求項１に記載の暖房モジュール。
【請求項４】
前記暖房モジュールは、防水電源コードケースと温度制御器とを備え、
前記発熱層の発熱コード端子は、前記防水電源コードケースを介して外部電源コードに接続されて導通し、前記外部電源コードは、前記温度制御器に電気的に接続され、前記防水電源コードケースは、台座、及び、蓋板、及び、第一結合部材、及び、第二結合部材とを備え、前記台座は収容空間を備え、台座における対応する二つの平行の側壁には、それぞれ、少なくとも二つの穿孔が設けられ、台座には、少なくとも四つの螺合部が設けられ、前記蓋板は、前記台座の頂部を密封するように結合され、蓋板には、前記台座に設けられた螺合部に対応する、少なくとも四つの螺合部が設けられ、前記第一結合部材は、前記台座の収容空間内に設けられ、第一結合部材の表面には、間隔を空けられた二つの対応する第一凹溝及び第一凹部が設けられ、前記第一凹部は、第一凹溝の経路上に設けられ、前記第一凹部内には第一導電片が設けられ、前記第二結合部材は、台座の収容空間内に設けられるとともに、前記第一結合部材の表面に設けられ、第二結合部材の底面には、間隔を空けられた二つの対応する第二凹溝及び第二凹部が設けられ、前記第二凹溝及び第二凹部は、前記第一凹溝及び第一凹部に相互に対応し、第二凹部は、第二凹溝の経路上に設けられ、第二凹部内には、第二導電片が設けられることを特徴とする、請求項１に記載の暖房モジュール。
【考案の詳細な説明】
【技術分野】
【０００１】
本考案は暖房モジュールに関し、特に、所定の物体に結合することで、熱エネルギーを所定の物体に均一に伝えて、物体の表面を一定の温度に維持して、空間の温度を上げることができる暖房モジュールに関する。
【背景技術】
【０００２】
従来の暖房設備（例えば、コミュニティー型集中暖房）は、大量の石炭を燃焼させて熱エネルギーを生み出すため、空気が汚染されるだけでなく、二酸化炭素削減という時代の流れにそぐわない。また、地下の熱エネルギーを地上の空間に循環させる方法、及び、その他の代替エネルギーを熱エネルギーに変換する方法は、いずれも、莫大な設備費用がかかるためコストが見合わない。また、従来の電気暖房は、主に、電熱部材を備え、この構造は、扇風機や暖炉のように、体積がかなり大きく、季節が変わる時に収納しておくのが非常に不便且つ面倒である。また、それに加えて、従来の電気暖房の電熱部材はいずれも外に露出する設計となっているため、電気暖房を置いた空間は、子供や老人にとって危険な場所となる。
【考案の概要】
【考案が解決しようとする課題】
【０００３】
そこで、本考案は、所定の物体に結合することで、熱エネルギーを所定の物体に均一に伝えて、物体の表面を一定の温度に維持して、空間の温度を上げることができる暖房モジュールを提供することを目的とする。
【課題を解決するための手段】
【０００４】
本考案による暖房モジュールは、断熱層と、少なくとも一つの発熱層と、導熱層とからなる。発熱層は、断熱層上方の表面に設けられ、発熱層には、防水電源コードケースが設けられる。それにより、発熱材と電源の安全な連結を確保することができるとともに、絶縁ケースにより、防水と圧力から保護することができ、外の雪を溶かす連結箇所に用いたとしても、しっかりした安全機能を発揮する。電気制御の連結端は、外部電源に接続され、さらに温度制御器により、発熱層から生じる熱エネルギーの温度と使用時間を制御することができる。導熱層は、発熱層が導熱層と断熱層の間に配置されるように、発熱層の上方に設けられる。
【０００５】
以上の構造により、暖房モジュールは、所定の物体に結合し、暖房モジュールの導熱層と所定の物体の表面が貼り合わされると、発熱層から生じる熱エネルギーが導熱層に伝わり、さらに、導熱層によって熱エネルギーが均一に拡散されて所定の物体に伝わり、それにより、熱エネルギーが物体（例えば、床、壁、鏡、石材、金属、ゴム、シリコン、カーペット等）に対して均一に拡散されて、物体の表面を一定の温度に維持するとともに空間の温度を上げることができる。
【図面の簡単な説明】
【０００６】
【図１】本考案の暖房モジュールの実施例１の分解図である。
【図２】本考案の暖房モジュールの実施例１の組合せの断面図である。
【図３】本考案の暖房モジュールの実施例２の分解図である。
【図４】本考案の暖房モジュールの実施例２の組合せ図である。
【図５】本考案の暖房モジュールの防水電源コードケースの分解図である。
【図６】本考案の暖房モジュールの防水電源コードケースの一実施形態を示した説明図である。
【図７】本考案の暖房モジュールの使用実施例１である。
【図８】本考案の暖房モジュールの使用実施例２である。
【図９】本考案の暖房モジュールの使用実施例３である。
【図１０】本考案の暖房モジュールの使用実施例４である。
【図１１】本考案の暖房モジュールの使用実施例５である。
【考案を実施するための形態】
【０００７】
図１から図５を参照する。本考案による巻きつけ式暖房モジュールは、所定の物体８に結合することができる。暖房モジュールは、断熱層１と、少なくとも一つの発熱層２と、導熱層３と、少なくとも二つの固定部材４と、防水電源コードケース５と、温度制御器６と、からなる。
【０００８】
断熱層１は、断熱材からなり、断熱層１は、本考案の暖房モジュールの下層位置に設けられる。また、本考案の実施例では、前記断熱材は、アルミ箔で細孔綿繊維を被覆してなる。または、前記断熱材は、ガラス繊維布、セラミック繊維、ポリスチレンフォーム隔絶層、アスベスト、断熱塗装材、耐熱布、高密度フォーム、耐熱板の内の一つである。また、断熱層１に使用する断熱材が軟質材質（例えば、ガラス繊維布、セラミック繊維、耐熱布等）からなる時、断熱層１は、可塑性の特性を有する。
【０００９】
発熱層２は、断熱層１の上方表面に設けられ、発熱層２は発熱コード端子２１を備え、発熱コード端子２１は外部電源に接続され、それにより、発熱層２に熱エネルギーを生じさせることができる。本考案の一実施形態では、発熱層２は、絶縁材質を被覆する炭素繊維加熱ワイヤーである。また、発熱層２は、可撓性を備えるとともに通電を利用して熱エネルギーを生じる発熱材料（例えば、発熱ケーブルワイヤー、発熱銅ワイヤー、グラファイト繊維加熱線、金属繊維、或いは、炭素繊維発熱薄膜等）にすることもできる。なお、発熱層２は、可撓性をもたず且つ通電することで熱エネルギーを生じる発熱材料（例えば、遠赤外線加熱管等）にすることもできる。
【００１０】
導熱層３は、発熱層２上方に設けられ、それにより、発熱層２は、導熱層３と断熱層１の間に配置される。本考案の一実施形態では、導熱層３は、導熱材からなり、導熱層３の底部には放熱ペーストが塗布され、導熱層３は、放熱ペーストによって発熱層２と緊密結合され、それにより、発熱層２から生じた熱エネルギーが、放熱ペーストを介して効率的に導熱層３に伝わる。また、前記導熱材は、ガラス繊維布、導熱シリコン、導熱炭素膜、セルロイド（Ｃｅｌｌｕｌｏｉｄ）、酢酸繊維素プラスチック、ポリエステル繊維の内の一つである。前記放熱ペーストは、放熱グリス、或いは、導熱塗装材、或いは、導熱シリコンの内の一つである。
【００１１】
固定部材４は、アルミ箔テープ、耐熱用ガラス繊維テープ、耐熱接着剤からなり、固定部材４は、発熱層２と導熱層３の間に設けられ、固定部材４により発熱層２を断熱層１の上方表面に固定することができる。
【００１２】
防水電源コードケース５に関しては、発熱コード端子２１（発熱繊維）と電源コードの接合に一般的に使用される加端子コネクタが、発熱コード端子２１（発熱繊維）を挟んで切ってしまい部分的に高温になったり或いは引っ張って接触不良が生じて防水や圧力抵抗機能がなくなるため、本考案は、脆弱な発熱コード端子２１（発熱繊維）と電源コードをを導電片で被覆して導通させており、発熱コード端子２１と外部電源コード７の固定は、防水電源コードケース５で発熱コード端子２１と外部電源コード７の絶縁外皮を挟みこんで固定することで、極めて優れた固定保護機能を実現している。防水電源コードケース５は、防水絶縁機能を兼ね備えるため、本考案は、外で使用して、雪を溶かしたり、プールを温めたりすることができる。
【００１３】
以上の構造による本考案の暖房モジュールは、モジュール化されているため、暖房モジュールを所定の物体８と結合させることができる。暖房モジュールの導熱層３と所定の物体８の表面を貼り合わせると、発熱層２から生じる熱エネルギーが導熱層３に伝導し、さらに、導熱層３によって熱エネルギーが均一に拡散されて所定の物体８に伝わることにより、熱エネルギーは、物体８（例えば、床、壁、鏡、カーペット等）に対して均一に拡散され、物体８の表面を一定の温度に保つことができる。また、断熱層１の外部をアルミ箔１１で被覆することで、発熱層２から生じる熱エネルギーが断熱層１のアルミ箔１１によって反射され、発熱層２から生じる熱エネルギーを上方に集中させて導熱層３に伝えることができる。
【００１４】
また、本考案の実施例２（図３、図４、図５、図６に図示）では、暖房モジュールは、更に、防水電源コードケース５と、温度制御器６とを備え、発熱層２の発熱コード端子２１は、防水電源コードケース５を介して外部電源コード７と接続されて導通し、それにより、外部電源を発熱層２に供給することができる。また、外部電源コード７は、温度制御器６に電気的に接続され、それにより、温度制御器６で発熱層２が生じる熱エネルギーを所定の温度に制御することができる。また、防水電源コードケース５は、台座５１と、蓋板５２と、第一結合部材５３と、第二結合部材５４と、からなる。台座５１は、収容空間５１０を備えるとともに、台座５１の対向する二つの平行の側壁には、それぞれ、少なくとも二つの穿孔５１１が設けられ、台座５１には、少なくとも四つの螺合部５１２が設けられ、台座５１の頂部周縁には、防水部５１３が設けられる。蓋板５２は台座５１の頂部を密封するように結合され、蓋板５２には、少なくとも四つの螺合部５２１が設けられ、それらは台座５１に設けられた螺合部５１２に対応し、螺合部材５５（例えば、ネジ）によって螺合が行われる。蓋板５２と台座５１が螺合された時、蓋板５２は防水部５１３にぴったりとくっつくため、蓋板５２を台座５１に密封して結合させることができる。第一結合部材５３は、台座５１の収容空間５１０内に設けられ、第一結合部材５３の表面には、間隔を空けられた二つの対応する第一凹溝５３１と第一凹部５３２が設けられ、第一凹部５３２は、第一凹溝５３１の経路上に設けられる。また、第一凹部５３２内には、第一導電片５３３が設けられ、第一結合部材５３における二つの第一凹溝５３１の間には、陽陰極区分け部５３４が設けられる。第二結合部材５４は、台座５１の収容空間５１０内に設けられるとともに、第一結合部材５３の表面を被覆し、第二結合部材５４の底面には、間隔を空けられた二つの対応する第二凹溝５４１と第二凹部５４２が設けられる。第二凹溝５４１及び第二凹部５４２は、第一凹溝５３１及び第一凹部５３２と相互に対応し、第二凹部５４２は、第二凹溝５４１経路上に設けられ、第二凹部５４２内には二つの導電片５４３が設けられる。それにより、発熱コード端子２１の陽、陰極コード端子は、台座５１の側壁の二つの穿孔５１１を通って、それぞれ第一結合部材５３と第二結合部材５４の間に配置される。即ち、発熱コード端子２１の陽陰極コード材は、一端の第一凹溝５３１と第二凹溝５４１内に配置され、発熱コード端子２１の陽、陰極コード端子は、それぞれ、第一導電片５３３及び第二導電片５４３に電気的に接触する。また、外部電源コード７の陽、陰極コード端子は、台座５１のもう一方の側壁の二つの穿孔５１１を通って、それぞれ第一結合部材５３と第二結合部材５４の間に配置される。即ち、外部電源コード７の陽陰極コード材は、他端の第一凹溝５３１と第二凹溝５４１内に配置され、外部電源コード７の陽、陰極コード端子は、それぞれ第一導電片５３３及び第二導電片５４３に電気的に接触する。以上により、外部電源コード７と発熱コード端子２１は相互に接続されて導通する。そして、防水電源コードケース５によって、発熱コード端子２１と外部電源コード７は、防水された状態で接続されて導通することができる。また、外部電源コード７と発熱コード端子２１の陽陰極コード材は、第一結合部材５３の陽陰極区分け部５３４によって区分けされ、それにより、外部電源コード７と発熱コード端子２１にショートするのを防ぐことができる。
【００１５】
図７を参照する。本考案の使用実施例１では、本考案の暖房モジュールは、物体８（壁か仕切り板）内部に設けられる。本考案の暖房モジュール（図では点線の囲いで示している）を壁或いは仕切り内に取り付けるだけで、発熱層２から生じる熱エネルギーを導熱層３に伝えることができ、さらに、導熱層３によって熱エネルギーを均一に拡散させて壁或いは仕切りに伝えることができる。それにより、熱エネルギーは、壁或いは仕切り内部から外へと拡散する。このように、スペースをとらずに、室内の温度を上げることができる。
【００１６】
図８を参照する。本考案の使用実施例２では、本考案の暖房モジュールは、物体８（ドアの板）内部に設けられる。本考案の暖房モジュール（図では点線の囲いで示している）をドアの板内部に設けるだけで、発熱層２から生じる熱エネルギーを導熱層３に伝えることができ、さらに、導熱層３によって熱エネルギーを均一に拡散させてドアの板に伝えることができる。それにより、熱エネルギーはドアの板内部から外へと拡散する。このようにして、室内を一定の温度に維持することができる。さらに、温度制御器６を壁に設けることができ、それにより、使用者は、温度制御器６によって発熱層２から生じる熱エネルギーの所定の温度を制御することができる。
【００１７】
図９を参照する。本考案の使用実施例３では、本考案の暖房モジュールは、物体８（鏡）内部に設けられる。本考案の暖房モジュール（図では点線の囲いで示している）を鏡の裏面に設けるだけで、発熱層２から生じる熱エネルギーを導熱層３に伝えることができ、さらに、導熱層３によって熱エネルギーを均一に拡散させて鏡面に伝えることができる。それにより、熱エネルギーは鏡から外へと拡散する。このようにして、室内の温度を上げることができる。
【００１８】
図１０を参照する。本考案の使用実施例４では、本考案の暖房モジュールは、物体８（床）内部に設けられる。本考案の暖房モジュール（図では点線の囲いで示している）を床内に設けるだけで、発熱層２から生じる熱エネルギーを導熱層３に伝えることができ、さらに、導熱層３によって熱エネルギーを均一に拡散させて床に伝えることができる。それにより、熱エネルギーは床内部から外へと拡散する。このようにして、室内の温度を上げることができる。
【００１９】
図１１を参照する。本考案の使用実施例５では、本考案の暖房モジュールは、物体８（ベッドのマットレス）内部に設けられる。本考案の暖房モジュール（図では点線の囲いで示している）をベッドのマットレス内に設けるだけで、発熱層２から生じる熱エネルギーを導熱層３に伝えることができ、さらに、導熱層３によって熱エネルギーを均一に拡散させてベッドのマットレスに伝えることができる。それにより、熱エネルギーはベッドのマットレス内部から外へと拡散し、室内或いはベッドのマットレスを一定の温度に維持することができる。
【００２０】
断熱層１、発熱層２、及び、導熱層３が、いずれも可塑性の特性を有している場合、本考案の暖房モジュールもそれに伴って可塑性の特性を有し、物体８の型に合わせて丸めたり曲げたりして設けることができる。また、上述した使用実施例１から使用実施例５は本考案を限定するものではなく、本考案の暖房モジュールの外部は、その他の物体８で被覆することもできる。例えば、物体８は、ケイ酸カルシウム板、セメント板、ガラス、金属物質、布、紙材、シリコン、ゴム、タイル、カーペット、木材、石材、竹片等の材質にすることができる。また、本考案の暖房モジュールは、物体８のサイズに合わせて、二つ或いは二つ以上連結させることができ、各暖房モジュールに接続される外部電源コード７を相互に連結（直列或いは並列）させた後、さらに、その内の一つの外部電源７を物体８外部まで延伸させ外部電源７と連結させると、各暖房モジュールの発熱層２に同時に熱エネルギーを生じさせることができる。
【符号の説明】
【００２１】
１        断熱層
１１      アルミ箔
２        発熱層
２１      発熱コード端子
３        導熱層
４        固定部材
５        防水電源コードケース
５１      台座
５１０    収容空間
５１１    穿孔
５１２    螺合部
５１３    防水部
５２      蓋板
５２１    螺合部
５３      第一結合部材
５３１    第一凹溝
５３２    第一凹部
５３３    第一導電片
５３４    陽陰極区分け部
５４      第二結合部材
５４１    第二凹溝
５４２    第二凹部
５４３    第二導電片
５５      螺合部材
６        温度制御器
７        外部電源コード
８        物体
【図１】
0003178817.tif 000003
【図２】
0003178817.tif 000004
【図３】
0003178817.tif 000005
【図４】
0003178817.tif 000006
【図５】
0003178817.tif 000007
【図６】
0003178817.tif 000008
【図７】
0003178817.tif 000009
【図８】
0003178817.tif 000010
【図９】
0003178817.tif 000011
【図１０】
0003178817.tif 000012
【図１１】
0003178817.tif 000013